(57)【要約】      （修正有）【課題】地震などの際にも壊れにくい卓上墓石を提供する。【解決手段】台座と、台座上に載置された中台４と、中台４を覆うための上台６と、遺骨を収容するための骨壺とを備えた卓上墓石。上台６には、中台４を収容するための中台収容空間が設けられているとともに、両側方に突出してスライド方向に延びる一対の突条部４６，４８が設けられ、中台４には、骨壺を収容するための骨壺収容空間が設けられ、また台座には、上台６の一対の突条部４６，４８に対応してこれらを受け入れるための一対の受け溝２４，２８が設けられ、上台６側の一対の突条部４６，４８は、台座側の一対の受け溝２４，２８内をこれらに沿ってスライドされる。【選択図】図２
2019103534.tif 000002
【特許請求の範囲】
【請求項１】
台座と、前記台座上に載置された中台と、前記中台を覆うための上台と、遺骨を収容するための骨壺とを備え、前記上台には、前記中台を収容するための中台収容空間が設けられているとともに、両側方に突出してスライド方向に延びる一対の突条部が設けられ、前記中台には、前記骨壺を収容するための骨壺収容空間が設けられ、また前記台座には、前記上台の前記一対の突条部に対応してこれらを受け入れるための一対の受け溝が設けられていることを特徴とする卓上墓石。
【請求項２】
前記上台の片端両側部には、内側に突出する一対の当接部が設けられ、前記上台側の前記一対の突条部は前記台座側の対応する前記一対の受け溝に受け入れられ、この受入れ状態において前記上台を前記スライド方向に相対的に移動させると、前記上台側の前記一対の当接部が前記中台の一部に当接することを特徴とする請求項１に記載の卓上墓石。
【請求項３】
台座と、前記台座上に載置された中台と、前記中台を覆うための上台と、遺骨を収容するための骨壺とを備え、前記上台には、前記中台を収容するための中台収容空間が設けられているとともに、径方向外側に突出して周方向に延びる複数の突条部が設けられ、前記中台には、前記骨壺を収容するための骨壺収容空間が設けられ、また前記台座には、前記上台の前記複数の突条部に対応してこれらを受け入れるための複数の受け溝が設けられていることを特徴とする卓上墓石。
【請求項４】
前記台座の前記複数の受け溝には、径方向内側に突出する複数の当接部が設けられ、前記上台側の前記複数の突条部は前記台座側の対応する前記複数の受け溝に受け入れられ、この受入れ状態において前記上台を前記周方向に相対的に移動させると、前記上台側の前記複数の突条部が前記台座側の前記複数の当接部に当接することを特徴とする請求項３に記載の卓上墓石。
【請求項５】
前記台座には、前記中台を位置付けするための中台位置付け凹部が設けられているとともに、前記骨壺を位置付けするための骨壺位置付け凹部が設けられていることを特徴とする請求項１〜４のいずれかに記載の卓上墓石。
【請求項６】
前記中台における前記骨壺収容空間を規定する前面部位及び／又は後面部位には、前記骨壺収容空間に開口する骨壺開口が設けられ、前記骨壺開口に透明乃至半透明プレートが設けられていることを特徴とする請求項１〜５のいずれかに記載の卓上墓石。
【請求項７】
前記中台の内部には仕切り壁部が設けられ、前記仕切り壁部の下側に前記骨壺収容空間が規定され、前記仕切り壁部の上側に収納空間が設けられ、前記収納空間には、前記骨壺を照らすための照明装置が内蔵され、前記照明装置は、前記仕切り壁部に設けられた照明孔を通して前記骨壺収容空間内に収容された前記骨壺を照らすことを特徴とする請求項１〜６のいずれかに記載の卓上墓石。
【発明の詳細な説明】
【技術分野】
【０００１】
本発明は、机などの上に置くことができる卓上墓石に関する。
【背景技術】
【０００２】
従来の墓石は墓地に建立され、故人の位牌が家屋内の仏壇に奉られている。そして、一般的な日本の風習では、故人や先祖の供養は、お彼岸、お盆、命日などにお墓参りをして供養している。
【０００３】
近年、社会状況が大きく変化し、人の流動が激しいビジネス社会の中で、核家族化、少子高齢化が進んできており、このような社会環境においては、先祖のお墓を承継していくのがだんだん難しくなってきている。
【０００４】
例えば、お墓を建立してもそれを承継する子供がいない。子供にお墓を維持、管理させることは経済的負担が大きく、子供に負担させるのは可哀想と思っている親も少なくない。また、日常生活の場所とお墓の場所とが遠く離れ、何年もの間お墓に参ることができず、放置された状態となって無縁仏となるお墓も増えて大きな社会問題になりつつある。更に、散骨して欲しいと子供に願う親も増えてきている。これらの理由などで、愛する人への供養の仕方や自分の死後に対する不安を抱えている人も少なくないのが現実である。このような人にとっては、現在のお墓参り（所謂、供養）の方法では先祖や故人を供養したいが、満足に供養できていないのが現状である。
【０００５】
このような問題を解決する方法として、自宅で供養ができるように収骨用器や位牌を改善した分骨位牌やミニ墓石などが提案されている（例えば、特許文献１〜３参照）。
【先行技術文献】
【特許文献】
【０００６】
【特許文献１】特開２００６−２１２３１５９号公報
【特許文献２】特開２００４−３３５９５号公報
【特許文献３】特開２００９−７４２６４号公報
【発明の概要】
【発明が解決しようとする課題】
【０００７】
特許文献１（又は特許文献２）の分骨位牌（又はミニ墓石）では、仏壇に安置する場合には何ら問題はないが、居間などの居住空間に安置する場合には心理的に受け入れ難いという問題がある。即ち、分骨位牌（又はミニ墓石）においては、従来の位牌（又は墓石）の形態をそのままイメージしたデザインであり、それ故に、位牌（又は墓石）のそのもののイメージが強く残り、居間などの居住空間に安置した場合、居住空間の空気を重苦しくし、遺族はもとより、来客に違和感や不快感を与えかねない。
【０００８】
また、特許文献３の小型墓石は、三面写真枠体付きのものであり、インテリアの一部として家具調に形成した構造の墓石となっているが、石が使用されておらず、半永久的なものではない。また、そのデザインも写真（例えば、遺影）を多めに収めるようにしたにすぎず、その形態から視覚的にも自宅供養型の小型墓石としての存在感が薄く、外観からして違和感のある木から作った小型墓石しか見えない。
【０００９】
上述したように、従来の分骨位牌、小型墓石においては、用いる素材、外観上の形態などを通して受ける視覚上の印象は好ましくなく、このことが原因となって、周囲の人に与える精神面の影響も好ましくなく、居住空間に安置した場合に心理的に受け入れ難いという問題がある。
【００１０】
本発明の目的は、居間などの居住空間に安置しても違和感なく安置することができる卓上墓石を提供することである。
【００１１】
本発明の他の目的は、地震などの際にも壊れにくい卓上墓石を提供することである。
【課題を解決するための手段】
【００１２】
本発明の第１の卓上墓石は、台座と、前記台座上に載置された中台と、前記中台を覆うための上台と、遺骨を収容するための骨壺とを備え、前記上台には、前記中台を収容するための中台収容空間が設けられているとともに、両側方に突出してスライド方向に延びる一対の突条部が設けられ、前記中台には、前記骨壺を収容するための骨壺収容空間が設けられ、また前記台座には、前記上台の前記一対の突条部に対応してこれらを受け入れるための一対の受け溝が設けられていることを特徴とする。
【００１３】
この墓石では、上台の片端両側部に内側に突出する一対の当接部を設け、上台側の一対の突条部を台座側の対応する一対の受け溝に受け入れ、この受入れ状態において上台をスライド方向に相対的に移動させて上台側の一対の当接部を中台の一部に当接させるようにするのが好ましい。
【００１４】
また、本発明の第２の卓上墓石は、台座と、前記台座上に載置された中台と、前記中台を覆うための上台と、遺骨を収容するための骨壺とを備え、前記上台には、前記中台を収容するための中台収容空間が設けられているとともに、径方向外側に突出して周方向に延びる複数の突条部が設けられ、前記中台には、前記骨壺を収容するための骨壺収容空間が設けられ、また前記台座には、前記上台の前記複数の突条部に対応してこれらを受け入れるための複数の受け溝が設けられていることを特徴とする。
【００１５】
この卓上墓石では、台座の複数の受け溝に径方向内側に突出する複数（例えば、二つ）の当接部を設け、上台側の複数の突条部を台座側の対応する複数の受け溝に受け入れ、この受入れ状態において上台を周方向に相対的に移動させて上台側の複数の突条部を台座側の対応する複数の当接部に当接させるようにするのが好ましい。
【００１６】
また、このような卓上墓石では、台座に中台を位置付けするための中台位置付け凹部及び骨壺を位置付けするための骨壺位置付け凹部を設けるのが好ましく、また中台における骨壺収容空間を規定する前面部位及び／又は後面部位に骨壺収容空間に開口する骨壺開口を設け、骨壺開口に透明乃至半透明プレートを設けるのが好ましく、更に中台の内部には仕切り壁部を設け、仕切り壁部の下側の骨壺収容空間に骨壺を収容し、仕切り壁部の上側の収納空間に照明装置を内蔵し、照明装置からの照明光を仕切り壁部の照明孔を通して骨壺を照らすようにするのが好ましい。
【発明の効果】
【００１７】
本発明の第１の卓上墓石によれば、台座と、この台座上に載置された中台と、中台を覆うための上台とを備え、上台の中台収容空間に中台が収容され、この中台の骨壺収容空間に骨壺が収容されるので、居間などの居住空間に合った小型の卓上墓石を提供することができる。また、上台には両側方に突出する一対の突条部が設けられ、台座にはこれら一対の突条部に対応して一対の受け溝が設けられ、上台側の一対の突条部が対応する一対の受け溝に受け入れられるので、上台を台座に確実に取り付けることができ、地震などがあったときのも上台が倒れることがなく、これによって、上台の中台収容空間に収容された中台及びこの中台の骨壺収容空間に収容された骨壺の破損などを防ぐことができる。
【００１８】
このような墓石において、上台の片端両側部に一対の当接部を設け、上台側の一対の突条部を台座側の一対の受け溝に受け入れた状態において上台をスライド方向に相対的に移動させることにより、この上台側の一対の当接部を中台の一部（例えば、後面）に当接させることにより、台座に対して上台を所定位置に位置付けることができる。
【００１９】
また、本発明の第２の卓上墓石によれば、その基本的構成が上述した第１の卓上墓石と同様であるので、居間などの居住空間に合った小型の卓上墓石を提供することができる。また、上台には径方向外側に突出する複数（例えば、二つ）の突条部が設けられ、台座にはこれら複数の突条部に対応して複数（例えば、二つ）の受け溝が設けられ、上台側の複数の突条部が対応する複数の受け溝に受け入れられるので、このように構成することによっても、上台を台座に確実に取り付けることができ、地震などがあったときも上台が倒れるのを防止することができる。
【００２０】
このような墓石において、台座の複数の受け溝の各々に径方向内側に突出する当接部を設け、上台側の複数の突条部を台座側の対応する複数の受け溝に受け入れた状態において上台を周方向に相対的に移動させて複数の突条部を台座側の複数の当接部に当接させることにより、台座に対して上台を所定位置に位置付けることができる。
【００２１】
また、このような卓上墓石において、台座に中台位置付け凹部及び骨壺位置付け凹部を設けることにより、中台及び骨壺を所定の位置に位置付けすることができ、また中台における骨壺収容空間を規定する前面部位及び／又は後面部位に骨壺開口を設け、この骨壺開口に透明乃至半透明プレートを設けることにより、従来の墓石のイメージを大きく変え、居間などの居住空間により合った卓上墓石を提供することができ、更に中台に設けた仕切り壁部の下側の骨壺収容空間に骨壺を収容し、この仕切り壁部の上側の収納空間に照明装置を内蔵させることにより、この照明装置により仕切り壁部の照明孔を通して骨壺をきれいに照らすことができ、これにより、従来の墓石のイメージを更に大きく変え、格調高いオブジェ風にすることができ、居住空間のインテリアの一部として違和感のないものに仕上げることができる。
【図面の簡単な説明】
【００２２】
【図１】本発明に従う卓上墓石の第１の実施形態を示す斜視図。
【図２】図１の卓上墓石を示す正面図。
【図３】図１の卓上墓石を分解して示す分解断面図。
【図４】図１の卓上墓石における台座を示す斜視図。
【図５】図１の卓上墓石において、台座の上に中台を載置した状態を示す断面図。
【図６】図１の卓上墓石において、台座に中台を載置した後更に上台を取り付けた状態を示す平面図。
【図７】本発明に従う卓上墓石の第２の実施形態を示す斜視図。
【図８】図７の卓上墓石において、台座の上に中台を載置した状態を示す断面図。
【図９】本発明に従う卓上墓石の第３の実施形態における台座を示す平面図。
【図１０】図９の卓上墓石における上台を示す断面図。
【図１１】図９におけるＸＩ−ＸＩ線による断面図。
【発明を実施するための形態】
【００２３】
以下、添付図面を参照して、本発明に従う卓上墓石の各種実施形態について説明する。まず、図１〜図６を参照して、卓上墓石の第１の実施形態について説明する。
【００２４】
図１〜図３において、図示の卓上墓石は、台座２と、この台座２に載置される中台４と、この台座２に所定方向（この形態では、前後方向）にスライド自在に載置される上台６とを備えている。図４をも参照して、図示の台座２は矩形状であり、前後方向（図１及び図４において左下から右上の方向、図２及び図３において紙面に垂直な方向）に幾分細長く、この台座２の表面に中台４及び上台６が載置される。
【００２５】
台座２の表面には、中央部より幾分後方に円形状の骨壺位置付け凹部８が設けられている。この骨壺位置付け凹部８の形状は位置付けされる骨壺１０の底部形状に対応しており、この骨壺位置付け凹部８に骨壺１０の底部が後述する如く位置付け収容される（図５参照）。また、この骨壺位置付け凹部８の外側を矩形状に囲むように中台位置付け凹部１２が設けられている。中台位置付け凹部１２の形状は、中台４の形状に対応しており、この中台位置付け凹部１２に中台４の底部が後述する如く位置付け収容される（図５参照）。
【００２６】
更に、この台座２には、中台位置付け凹部１２の両側に一対の取付け凹部１４，１６が設けられている。一対の取付け凹部１４，１６は、前後方向に直線状に延びており、これらの取付け凹部１４，１６にそれぞれ案内保持部材１８，２０が取り付けられ、例えば接着剤などにより固定される。
【００２７】
片側（図２〜図４において右側）の取付け凹部１４に取り付けられる一方の案内保持部材１８の上端部には、内側（換言すると、中台位置付け凹部１２側）に突出する案内突条２２が設けられ、この案内突条２２は、案内保持部材１８の一端から他端にわたって設けられ、台座２とともに片側の受け溝２４（図２参照）を規定する。また、他側（図２〜図４において左側）の取付け凹部１４に取り付けられる他方の案内保持部材２０の上端部には、内側（換言すると、中台位置付け凹部１２側）に突出する案内突条２６が設けられ、この案内突条２６は、案内保持部材２０の一端から他端にわたって設けられ、台座２とともに他側の受け溝２８（図２参照）を規定する。
【００２８】
図示の中台４は、矩形筒状の中台本体３０を備え、この中台本体３０の内部に骨壺１０を収容するための骨壺収容空間３２が規定される。また、この中台本体３０の前面部位３１（前壁）には、その肉厚を厚くして前側に突出させた表示部３４が設けられている。この表示部３４は、中台本体３０の下端部からその上部にわたって設けられており、この表示部３４に故人の戒名、先祖の名前などが表示される。尚、このような表示部３４は、省略するようにしてもよい。
【００２９】
次に、上台６について説明すると、図示の上台６は、中台本体３０を覆うための門型形状の上台本体３６を備え、この上台本体３６は、中台本体３０の外側に位置する一対の側壁３８，４０と、一対の側壁３８，４０の上端部を接続する天壁４２とを有し、この上台本体３６の内側に中台４を収容するための中台収容空間４４が規定される。この上台本体３６の下端部、具体的には一対の側壁３８，４０の下端部には、台座２側の一対の受け溝２４，２８に対応して一対の突条部４６，４８が設けられている。一方の突条部４６は、片側の側壁３６に外側に突出するように設けられ、この側壁３６の幅方向（図２及び図３において紙面に垂直な方向）一端から他端にわたって設けられている。また、他方の突条部４８は、他側の側壁３８に外側に突出するように設けられ、この側壁３８の幅方向（図２及び図３において紙面に垂直な方向）一端から他端にわたって設けられている。上台６側の一対の突条部４６，４８は、後述するように、台座２側の対応する一対の受け溝２４，２８に前後方向にスライド自在に受け入れられる。
【００３０】
この上台６には、更に、その後端部に内側に突出する当接部５０，５２が設けられている。一対の突接部５０，５２は、側壁３６，３８の上端部から下端部にわたって設けられ、上台６を所定の組付け位置（図６に示す位置）までスライド移動させると、上台６側の一対の当接部５０，５２が中台４の後面に当接し（図６参照）、この組付け位置を越える上台６の前方側への移動が阻止される。
【００３１】
この卓上墓石では、骨壺１０は、次のようにして収容される。主として図１、図３、図５及び図６を参照して、台座２の一対の取付け凹部１４，１６に案内保持部材１８，２０が取り付けられ、これら案内保持部材１８，２０により台座２に一対の受け溝２４，２８が設けられ、これら受け溝２４，２８は内側に開口してスライド方向（この形態では、前後方向に延びている。
【００３２】
骨壺１０を収容するには、図５に示すように、骨壺１０（遺骨が収納された骨壺）を台座２の骨壺位置付け凹部８に位置付け載置した後、この骨壺１０の周囲を覆うように中台４を台座２の中台位置付け凹部１２に位置付け載置する。このように載置すると、骨壺１０が中台６の中台本体３０の骨壺収容空間３２に収容される。
【００３３】
その後、骨壺１０及び中台４の載置状態において、更に、上台６を台座２の表面に載置し、上台６側の一対の突条部４６，４８を台座２側の対応する一対の受け溝２４，２８内に挿入し、この上台６を台座２の表面に沿って前方に向けてスライド移動させる。そして、この上台６を図６に示す組付け位置まで移動させると、上台６側の一対の当接部５０，５２が中台４の後面に当接し、上台６が所要の通りに取り付けられ、このようにして骨壺１０を卓上墓石に納骨することができる。
【００３４】
この組付け状態においては、上台６側の一対の突条部４６，４８が台座２側の一対の受け溝２４，２８に受け入れられているので、地震などが発生したときにも上台６が台座２から倒れることがなく、従って、上台６の中台収容空間４４に収容された中台４、また中台４の骨壺収容空間３２に収容された骨壺１０の破損を防止することができる。また、骨壺１０が台座２の骨壺位置付け凹部８に位置付け載置され、また中台４が台座２の中台位置付け凹部１２に位置付け載置されるので、地震などが発生したときにも骨壺１０及び中台４が台座２に対して大きく相対移動するのを抑えることができる。
【００３５】
このような卓上墓石は、居間などの居住空間に置かれたテーブル、サイドボード、キャビネット（家具）、書棚などに安置することができ、それ故に、生活空間の身近な場所に置いて祖先、故人などを供養することができる。
【００３６】
次いで、図７及び図８を参照して、本発明に従う卓上墓石の第２の実施形態について説明する。この第２の実施形態においては、骨壺を覆う中台に修正が施されている。尚、以下の実施形態において、第１の実施形態と実質上同一の部材には同一の参照番号を付し、その説明を省略する。
【００３７】
この第２の実施形態の卓上墓石においては、中台４Ａ（中台本体３０Ａ）の後面部位６２（後壁）の下部に骨壺開口６４が設けられ、この骨壺開口６４が中台４Ａの骨壺収容空間３２Ａに開口している。この形態では、骨壺開口６４は矩形状に形成されているが、円形状、楕円形状、菱形状などのその他の適宜の形状に形成することができる。
【００３８】
この形態では、中台４Ａ（中台本体３０Ａ）の内部中間部に仕切り壁部６６が設けられ、この仕切り壁部６６の下側に上述の骨壺収容空間３２Ａが規定され、その上側に収納空間６８が規定され、この骨壺収容空間３２Ａの大部分の領域に対応して骨壺開口６４が設けられている。
【００３９】
この骨壺開口６４の内側に、この骨壺開口６４の全域を覆うように透明乃至半透明プレート７０（例えば、ガラスプレート、樹脂プレートなど）が設けられ、例えば接着剤などによって中台本体３０Ａの後壁６２の内面に固定される。このように透明乃至半透明プレート７０を設けることにより、骨壺収容空間３２Ａに収容された骨壺１０を外部から骨壺開口６４を通して外部から目視することができる。
【００４０】
この形態では、更に、骨壺収容空間３２Ａの上側に収納空間６８が設けられ、この収納空間６８に照明装置７１が内蔵されている。照明装置７１は、ＬＥＤを用い且つ電池を内蔵したＬＥＤ照明装置を好都合に用いることができる。このことに関連して、更に、仕切り壁部６６の中央部に照明孔７２が設けられ、照明装置７１からの照明光がこの照明孔７２を通して下側の骨壺収容空間３２Ａを照射する。尚、この照明装置７１の上方に収納スペースが残っている場合、この収納スペースに故人の遺品などを収納することができる。この第２の実施形態の卓上墓石のその他の構成は、上述の第１の実施形態と実質上同一である。
【００４１】
この第２の実施形態の卓上墓石においては、中台４Ａの向きを変えることによって、２種類の墓石として用いることができる。例えば、図８に示すように、中台４Ａの前面部位３１（前壁）が卓上墓石の前面となるように位置付け載置した場合、卓上墓石の前側から見たときにその前面部位３１（前壁）、即ち表示部３４が見え、第１の実施形態と同様の通常の卓上墓石として用いることができる。
【００４２】
また、図７に示すように、中台４Ａの後面部位６２（後壁）が卓上墓石の前面となるように位置付け載置した場合、卓上墓石の前側から見たときにその後面部位６２（後壁）、即ち骨壺開口６４（これに装着された透明乃至半透明プレート７０）が見え、この骨壺開口６４を通して骨壺収容空間３２Ａに収容された骨壺１０を外部から見ることができる。
【００４３】
そして、この載置状態において、照明装置７１を作動させてＬＥＤを点灯すると、照明装置７１からの照明光が中台４Ａの仕切り壁部６６の照明孔７２を通して骨壺収容空間３２Ａ内の骨壺１０を上方から照射し、居間などの居住空間において骨壺１０を格調の高いオブジェ風に飾ることができる。このとき、照明装置７１として複数色のＬＥＤを用い、これらＬＤＤの点灯状態を切り替えることにより、より装飾性の高いオブジェ風とすることができる。
【００４４】
この第２の実施形態においては、中台４Ａの後面部位６２（後壁）に骨壺開口６４を設けているが、この後面部位６２に代えて、或いはこの後面部位６２に加えてその前面部位３１（前壁）に骨壺開口を設けるようにしてもよい。例えば、中台４Ａの前面部位３１及び後面部位６２の双方に設ける場合、前面部位３１側の骨壺開口と後面部位６２側の骨壺開口との形状を異なる形状とすることができる。
【００４５】
また、この実施形態では、中台４Aの収納空間６８に照明装置７１を設け、この照明装置７１により骨壺収容空間３２Ａ内の骨壺１０を照射するようにしているが、この照明装置７１を省略し、この収納空間７０全体を遺品などを収納するためのスペースとするようにしてもよい。
【００４６】
次に、図９〜図１１を参照して、本発明に従う卓上墓石の第３の実施形態について説明する。この第３の実施形態においては、台座（特に、受け溝）及び上台（特に、突条部）に修正が施されている。
【００４７】
図９〜図１１において、この第３の実施形態の卓上墓石においては、上台６Ｂの上台本体３６Ｂは中空円筒状に形成され、その内側に中台４Ｂを収容するための中台収容空間４４Ｂが規定される。この形態では、上台６Ｂの上台本体３６Ｂの下端部には、周方向に間隔をおいて一対の突条部４６Ｂ，４８Ｂが設けられ、これら突条部４６Ｂ，４８Ｂは径方向外方に突出して周方向に弧状に延びている。このように上台本体３６Ｂが中空円筒状に形成されていることに関連して、その中台収容空間４４Ｂに収容される中台（中台本体）（図示せず）も中空円筒状に形成され、これに対応して、台座２Ｂ側の中台位置付け凹部１２Ｂも円形リング状に形成される（図９参照）。
【００４８】
また、上台本体３６Ｂの一対の突条部４６Ｂ，４８Ｂに対応して、台座２Ｂには一対の受け溝２４Ｂ，２６Ｂが設けられている。主として図９を参照して、台座２Ｂの表面には弧状に延びる取付け凹部１４Ｂ，１６Ｂが設けられ、上述したと同様に、かかる取付け凹部１４Ｂ，１６Ｂに例えば接着剤などにより案内保持部材１８Ｂ，２０Ｂが固定されている。一対の案内保持部材１８Ｂ，２０Ｂは、上台本体３６Ｂの外周面に沿って弧状に延び、それらの上端部の内周側には径方向内方に突出する案内突条２２Ｂ，２６Ｂが設けられ、これら案内突条２２Ｂ，２６Ｂは案内保持部材１８Ｂ，２０Ｂの一端から他端にわたって設けられている。
【００４９】
台座２Ｂに一対の案内保持部材１８Ｂ，２０Ｂを設けることにより、台座２Ｂ及び案内保持部材１８Ｂ，２０Ｂによって一対の受け溝２４Ｂ，２８Ｂが規定され、かかる受け溝２４Ｂ，２８Ｂは、上台本体３６Ｂの外周面にそって弧状に延び、それらの径方向内側が開放されている。
【００５０】
この第３の実施形態では、更に、一対の受け溝２４Ｂ，２８Ｂの一端部に当接部８２，８４が設けられ、かかる当接部８２，８４は、径方向内方に受け溝２４Ｂ，２８Ｂ内に突出し、後述するように、上台本体３６Ｂの一対の突条部４６Ｂ，４８Ｂが対応する一対の当接部８２，８４に当接するように構成されている。この第３の実施形態の卓上墓石におけるその他の構成は、上述した第１の実施形態と実質上同一である。
【００５１】
この第３の実施形態の卓上墓石においては、台座２Ｂの骨壺位置付け凹部８に骨壺（図示せず）を位置付け載置し、その中台位置付け凹部１２Ｂに中台（図示せず）を位置付け載置する。そして、かかる載置状態において、上台６Ｂの突条部４６Ｂ，４８Ｂを台座２Ｂ側の一対の案内保持部材１８Ｂ，２０Ｂ間に合わせてこの台座２Ｂ上に載置した後、この上台６Ｂ（上台本体３６Ｂ）を図９において反時計方向にスライドさせる。かくスライド回動させると、上台２Ｂ側の一対の突条部４６Ｂ，４８Ｂが台座２Ｂ側の一対の受け溝２４Ｂ，２８Ｂに挿入され、これら一対の突条部４６Ｂ，４８Ｂの一端部が台座２Ｂ側の案内保持部材１８Ｂ，２０Ｂの当接部８２，８４に当接することにより、この上台６Ｂが組付け位置まで移動され、このようにして上台６を所要の通りに取り付けることができる。この組付け状態においても、上台６Ｂ側の一対の突条部４６Ｂ，４８Ｂが台座２Ｂ側の一対の受け溝２４Ｂ，２８Ｂに受け入れられているので、地震などが発生したときにも上台６Ｂが台座２Ｂから倒れることがなく、従って、上台６Ｂの中台収容空間４４Ｂに収容された中台４Ｂ、また中台４Ｂの骨壺収容空間３２Ｂに収容された骨壺の破損を防止することができる。
【００５２】
この実施形態では、上台本体３６Ｂの下端部に周方向に間隔をおいて２つの突条部４６Ｂ，４８Ｂを設けているが、このような構成に限定されず、その周方向に間隔をおいて３つ以上の突条部を設けるようにしてもよく、この場合、台座２Ｂ側には、３つ以上の突条部に対応して３つ以上の受け溝が設けられる。
【００５３】
以上、本発明に従う卓上墓石の各種実施形態について説明したが、本発明はかかる実施形態に限定されるものではなく、本発明の範囲を逸脱することなく種々の変更乃至修正が可能である。
【００５４】
例えば、第１及び第２の実施形態では、台座２に対して上台６が前後方向に相対的にスライド移動するように構成されているが、このような構成に代えて、前後方向に対して垂直な横方向に上台６を相対的にスライド移動させるようにすることもできる。
【符号の説明】
【００５５】
２，２Ｂ  台座
４，４Ａ，４Ｂ  中台
６，６Ｂ  上台
８  骨壺収容凹部
１０  骨壺
１２，１２Ｂ  中台位置付け凹部
１８，１８Ｂ，２０，２０Ｂ  案内保持部材
２４，２４Ｂ，２８，２８Ｂ  受け溝
３２，３２Ａ  骨壺収容空間
４４  中台収容空間
４６，４６Ｂ，４８，４８Ｂ  突条部
５０，５２，８２，８４  当接部
６６  仕切り壁部
６８  収納空間
７０  透明乃至半透明プレート
７１  照明装置
【図１】
2019103534.tif 000003
【図２】
2019103534.tif 000004
【図３】
2019103534.tif 000005
【図４】
2019103534.tif 000006
【図５】
2019103534.tif 000007
【図６】
2019103534.tif 000008
【図７】
2019103534.tif 000009
【図８】
2019103534.tif 000010
【図９】
2019103534.tif 000011
【図１０】
2019103534.tif 000012
【図１１】
2019103534.tif 000013